(57)【要約】【課題】ユーザインタフェースのない通信端末、又は、ユーザインタフェースにおける情報入力装置のない通信端末に、通常の通信端末に一般的に設けられる同レベルの情報入力装置付きユーザインタフェースシステムを提供する。【解決手段】ユーザインタフェースのない通信端末を、ユーザインタフェースを持つ設備とデータ通信接続し、そのユーザインタフェースをユーザインタフェースのない通信端末のユーザインタフェースに代用する機能と、ユーザインタフェースにおける情報入力装置のない通信端末を、情報入力装置を持つ設備とデータ通信接続し、その情報入力装置をユーザインタフェースにおける情報入力装置のない通信端末のユーザインタフェース情報入力装置に代用する機能を設ける。【選択図】図１
2018032361.tif 000002
【特許請求の範囲】
【請求項１】
ユーザインタフェースのない通信端末を、ユーザインタフェースを持つ設備とデータ通信接続し、そのユーザインタフェースをユーザインタフェースのない通信端末のユーザインタフェースに代用することを特徴とするシステム。
【請求項２】
ユーザインタフェースにおける情報入力装置のない通信端末を、情報入力装置を持つ設備とデータ通信接続し、その情報入力装置をユーザインタフェースにおける情報入力装置のない通信端末のユーザインタフェース情報入力装置に代用することを特徴とするシステム。
【発明の詳細な説明】
【発明の詳細な説明】
【技術分野】
【０００１】  本発明は、ユーザインタフェースのない通信端末、又は、ユーザインタフェースにおける情報入力装置のない通信端末に、ユーザインタフェース及びユーザインタフェースにおける情報入力装置を提供するシステムに関する。
【背景技術】
【０００２】  従来では、通信機器にユーザインタフェースを設けるのが一般的であるが、サイズの制限などにより、ユーザインタフェースを設けない通信機器、また、ユーザインタフェースがあっても、ユーザインタフェースにおける情報入力装置を設けない通信機器がある。【０００３】  ウェブユーザインタフェースが設けられた場合は、ユーザインタフェースのない通信端末、又は、ユーザインタフェースにおける情報入力装置のない通信端末は、パソコン、モバイル通信端末などにデータ通信接続し、接続先のブラウザを使用してウェブユーザインタフェースにてユーザインタフェース操作をする。【０００４】  ユーザインタフェースのない通信端末、又は、ユーザインタフェースにおける情報入力装置のない通信端末は他の設備にデータ通信接続をする場合は、主な方式は主に２種類ある。【０００５】  １種類は、接続先の設備にユーザインタフェース及び情報入力装置がある場合は、接続先は、ユーザインタフェースのない通信端末、又は、ユーザインタフェースにおける情報入力装置のない通信端末を検知し、データ通信接続に必要な情報を接続先のユーザインタフェースにおける情報入力装置にて入力を行い、データ通信接続を成立させる。【０００６】  もう１種類は、ユーザインタフェースのない通信端末、又は、ユーザインタフェースにおける情報入力装置のない通信端末は、ソコン、モバイル通信端末などにデータ通信接続し、接続先のブラウザを使用してウェブユーザインタフェースにて接続先とのデータ通信接続に必要な情報入力などを行い、データ通信接続を成立させる。【０００７】  また、ユーザインタフェースのない通信端末、又は、ユーザインタフェースにおける情報入力装置のない通信端末はデータ通信接続した他の設備を制御する場合は、通信端末のインタフェースにおける情報入力装置にて制御情報を入力することが必要になる場合がある。【０００８】  しかし、制御する側の通信設備にユーザインタフェースがなく、又は、ユーザインタフェースがあるが、ユーザインタフェースにおける情報入力装置がないので、必要な情報を入力する手段がない。【０００９】  また、ユーザインタフェースのない通信端末、又は、ユーザインタフェースにおける情報入力装置のない通信端末がデータ通信接続した設備は実際の応用では、多種類の設備になるので、ウェブユーザインタフェースが設けられた場合でも、共通、共用する機能を設けるのが一般的であるため、異なる多種類の設備からの様々な情報、また、制御に必要となる情報に対応することが困難である。
【発明の概要】
【発明が解決しようとする課題】
【００１０】  ユーザインタフェースのない通信端末、又は、ユーザインタフェースにおける情報入力装置のない通信端末に、通常の通信端末に一般的に設けられる同レベルの情報入力装置付きユーザインタフェースシステムを提供する。
【課題を解決するための手段】
【００１１】  本発明は、ユーザインタフェースのない通信端末を、ユーザインタフェースを持つ設備とデータ通信接続し、そのユーザインタフェースをユーザインタフェースのない通信端末のユーザインタフェースに代用する機能を設ける。【００１２】  ユーザインタフェースにおける情報入力装置のない通信端末を、情報入力装置を持つ設備とデータ通信接続し、その情報入力装置をユーザインタフェースにおける情報入力装置のない通信端末のユーザインタフェース情報入力装置に代用する機能を設ける。
【発明の効果】
【００１３】  本発明により、ユーザインタフェースのない通信端末、又は、ユーザインタフェースにおける情報入力装置のない通信端末に、ウェブユーザインタフェースでの制限がない情報入力装置付きユーザインタフェースシステムを提供することで、ユーザインタフェースのない通信端末、又は、ユーザインタフェースにおける情報入力装置のない通信端末にてユーザインタフェースの機能を完全に実現できるようになった。【００１４】  また、ユーザインタフェースのない通信端末、又は、ユーザインタフェースにおける情報入力装置のない通信端末に、情報入力装置付きユーザインタフェース機能を提供したことにより、データ通信接続した他の設備を制御するのに情報入力が必要な場合は、情報の発信側から情報を入力できるようになった。【００１５】  以下に説明される発明を実施するための最良の形態を添付の図面を参照して詳細に説明する。
【発明を実施するための形態】
【００１６】  以下に本発明の実施の形態について、図面を参照して説明する。
【００１７】  図１のように、ユーザインタフェース及び情報入力装置を持つ設備２に、ユーザインタフェースのない端末、又は、ユーザインタフェースにおける情報入力装置のない通信端末１とデータ情報通信する機能を設ける。
【００１８】  通信端末１と設備２に、相互データ情報の受け渡し、受け取り、認知及び処理機能を設ける。
【００１９】  設備２の情報入力装置付きユーザインタフェースを通信端末１のユーザインタフェース及び情報入力機能に代用する機能を設ける。
【００２０】  設備２を通信端末１にデータ情報通信接続をし、データ情報通信を通じて通信端末１からの情報、また、通信端末１が他の設備３から得た情報を設備２のユーザインタフェースに表示する。
【００２１】  設備２のユーザインタフェースの入力装置にて情報を入力し、データ情報通信を通じて通信端末１に伝達し、通信端末１の接続対象、又は制御する対象である他の設備３に、通信端末１の情報及び指令として伝達する。
【００２２】
【図面の簡単な説明】
【００２３】
【図１】本発明のシステム構成図。
【符号の説明】
【００２４】１  ユーザインタフェースのない端末、又は、ユーザインタフェースにおける情報入力装置のない通信端末
２  ユーザインタフェース及び情報入力装置を持つ設備
３  通信端末の接続先、又は制御先である他の設備
【図１】
2018032361.tif 000003